(57)【要約】【課題】複数の表示情報を一覧表示する場合に、優先表示条件に合致する表示情報を優先表示させ、その他の表示情報を予め指定されている表示順に基づいて表示できるようにする。【解決手段】制御部１は、記録されている複数の表示情報を表示部７に一覧表示させる場合の表示順が指定されていると共に、メール優先条件テーブルＭ１、録画優先条件テーブルＭ２内に優先表示条件が指定されている状態において、複数の表示情報の中に優先表示条件に合致する表示情報が存在していれば、指定されている表示順に関わらず、優先表示条件に合致する表示情報が一覧表示の上位に位置するように当該表示情報を優先表示させる。【選択図】  図１
2010186225.tif 000002
【特許請求の範囲】
【請求項１】
記録されている複数の表示情報を一覧表示させる場合の表示順を指定する表示順指定手段を備えた電子機器であって、
優先的に表示させる条件を示す優先表示条件を指定する優先条件指定手段と、
前記複数の表示情報の中に前記優先条件指定手段によって指定された優先表示条件に合致する表示情報が存在しているか否かを判別する判別手段と、
この判別手段によって優先表示条件に合致する表示情報が存在していると判別された場合に、前記表示順指定手段により指定された表示順に関わらず、前記優先表示条件に合致する表示情報が前記一覧表示の上位に位置するように当該表示情報を優先表示させる表示制御手段と、
を具備したことを特徴とする電子機器。
【請求項２】
前記複数の表示情報が一覧表示されている状態において、前記表示順指定手段によって表示順の変更が指定された場合に、前記表示制御手段は、前記優先表示条件に合致する表示情報をそのまま優先表示させ、それ以外の表示情報を前記変更された表示順に並び替えて表示させる、
ようにしたことを特徴とする請求項１記載の電子機器。
【請求項３】
前記表示制御手段は、前記優先条件指定手段によって指定された優先表示条件に合致する表示情報に対して所定の操作が行われた場合に、当該表示情報の優先表示を解除する、
ようにしたことを特徴とする請求項１記載の電子機器。
【請求項４】
前記複数の表示情報としての複数の電子メールが一覧表示されている状態において、前記表示制御手段は、前記優先条件指定手段によって指定されている電子メールに対して前記所定の操作として返信の操作が行われた場合に、前記優先表示条件に合致する電子メールの優先表示を解除する、
ようにしたことを特徴とする請求項３記載の電子機器。
【請求項５】
前記複数の表示情報が一覧表示されている状態において、前記表示制御手段は、前記優先条件指定手段によって指定された優先表示条件に合致する表示情報に対する所定の操作として当該表示情報を開く操作が所定の回数に達した場合に、当該表示情報の優先表示を解除する、
ようにしたことを特徴とする請求項３記載の電子機器。
【請求項６】
前記優先表示条件に合致する表示情報が優先表示されている状態において、この優先表示を解除する解除手段と、
この解除手段によって解除された優先表示の復帰を指示する復帰手段と、
を更に備え、
前記表示制御手段は、前記一時解除手段によって優先表示が解除された際に、前記複数の表示情報を前記表示順指定手段によって指定された表示順に並び替えて表示させ、前記復帰手段によって優先表示の復帰が指示された際に、前記優先表示条件に合致する表示情報を優先表示させる、
ようにしたことを特徴とする請求項１記載の電子機器。
【請求項７】
前記優先表示条件に合致する表示情報が優先表示されている状態において、この優先表示を一時的に解除する解除手段を更に備え、
前記表示制御手段は、前記一時解除手段によって優先表示が解除された際に、前記複数の表示情報を前記表示順指定手段によって指定された表示順に並び替えて表示させたのち、所定時間が経過した際に前記優先表示条件に合致する表示情報を優先表示させる、
ようにしたことを特徴とする請求項１記載の電子機器。
【請求項８】
前記優先条件指定手段は、前記優先表示条件に合致する表示情報が複数存在している場合に、この複数の表示情報の優先順位を更に指定し、
前記表示制御手段は、前記優先条件指定手段によって指定された優先表示条件に合致する表示情報が複数存在している場合に、この複数の表示情報の優先順位が前記優先条件指定手段によって指定されていれば、この優先順位に基づいて複数の表示情報を並び替えて優先表示させる、
ようにしたことを特徴とする請求項１記載の電子機器。
【請求項９】
前記優先条件指定手段は、複数の優先表示条件を指定すると共に、この複数の優先表示条件の優先順位を更に指定し、
前記表示制御手段は、前記優先条件指定手段によって指定された複数の優先表示条件のいずれかに合致する表示情報が複数存在している場合に、この複数の優先表示条件の優先順位が前記優先条件指定手段によって指定されていれば、この優先順位に基づいて複数の表示情報を並び替えて優先表示させる、
ようにしたことを特徴とする請求項１あるいは請求項８記載の電子機器。
【請求項１０】
コンピュータに対して、
記録されている複数の表示情報を一覧表示させる場合の表示順を指定する機能と、
優先的に表示させる条件を示す優先表示条件を指定する機能と、
前記複数の表示情報の中に前記優先条件指定機能によって指定された優先表示条件に合致する表示情報が存在しているか否かを判別する機能と、
前記優先表示条件に合致する表示情報が存在していると判別された場合に、前記指定された表示順に関わらず、前記優先表示条件に合致する表示情報が前記一覧表示の上位に位置するように当該表示情報を優先表示機能と、
を実現させるためのプログラム。
【発明の詳細な説明】
【技術分野】
【０００１】
本発明は、複数の表示情報を一覧表示させる電子機器及びプログラムに関する。
【背景技術】
【０００２】
従来、複数の表示情報を一覧表示するようにした電子機器として、例えば、電子メール装置においては、複数の表示情報（電子メール）の一覧表示を、例えば、受信日時、差出人、題名などをキーとして昇順あるいは降順に並べ替える技術が一般に広く知られており、好みやその時々の必要に応じて利用されている。また、予め設定したキーワードに基づいて各電子メールの優先順位を判定し、この優先順位に基づいて複数の電子メールを一覧表示するようにした技術が開示されている（特許文献１参照）。
【先行技術文献】
【特許文献】
【０００３】
【特許文献１】特開平１０−２１００７１号公報
【発明の概要】
【発明が解決しようとする課題】
【０００４】
しかしながら、上述した先行技術（特許文献１）にあっては、キーワードによって特定した電子メールを常に優先して表示させることができるが、キーワードに基づいて判定した優先順位に基づいて複数の電子メールを並び替えて一覧表示するようにしているため、受信日時、差出人、題名などをキーとしてその並び順を変更して表示させることが困難となり、自由度や柔軟性に欠ける、という問題があった。
【０００５】
本発明の課題は、複数の表示情報を一覧表示する場合に、優先表示条件に合致する表示情報を優先表示させ、その他の表示情報を予め指定されている表示順に基づいて表示できるようにすることである。
【課題を解決するための手段】
【０００６】
上述した課題を解決するために請求項１記載の発明は、記録されている複数の表示情報を一覧表示させる場合の表示順を指定する表示順指定手段を備えた電子機器であって、優先的に表示させる条件を示す優先表示条件を指定する優先条件指定手段と、前記複数の表示情報の中に前記優先条件指定手段によって指定された優先表示条件に合致する表示情報が存在しているか否かを判別する判別手段と、この判別手段によって優先表示条件に合致する表示情報が存在していると判別された場合に、前記表示順指定手段により指定された表示順に関わらず、前記優先表示条件に合致する表示情報が前記一覧表示の上位に位置するように当該表示情報を優先表示させる表示制御手段と、を具備したことを特徴とする。
【０００７】
請求項１に従属する発明として、前記複数の表示情報が一覧表示されている状態において、前記表示順指定手段によって表示順の変更が指定された場合に、前記表示制御手段は、前記優先表示条件に合致する表示情報をそのまま優先表示させ、それ以外の表示情報を前記変更された表示順に並び替えて表示させる、ようにしたことを特徴とする請求項２記載の発明であってもよい。
【０００８】
請求項１に従属する発明として、前記表示制御手段は、前記優先条件指定手段によって指定された優先表示条件に合致する表示情報に対して所定の操作が行われた場合に、当該表示情報の優先表示を解除する、ようにしたことを特徴とする請求項３記載の発明であってもよい。
【０００９】
請求項３に従属する発明として、前記複数の表示情報としての複数の電子メールが一覧表示されている状態において、前記表示制御手段は、前記優先条件指定手段によって指定されている電子メールに対して前記所定の操作として返信の操作が行われた場合に、前記優先表示条件に合致する電子メールの優先表示を解除する、ようにしたことを特徴とする請求項４記載の発明であってもよい。
【００１０】
請求項３に従属する発明として、前記複数の表示情報が一覧表示されている状態において、前記表示制御手段は、前記優先条件指定手段によって指定された優先表示条件に合致する表示情報に対する所定の操作として当該表示情報を開く操作が所定の回数に達した場合に、当該表示情報の優先表示を解除する、ようにしたことを特徴とする請求項５記載の発明であってもよい。
【００１１】
請求項１に従属する発明として、前記優先表示条件に合致する表示情報が優先表示されている状態において、この優先表示を解除する解除手段と、この解除手段によって解除された優先表示の復帰を指示する復帰手段と、を更に備え、前記表示制御手段は、前記一時解除手段によって優先表示が解除された際に、前記複数の表示情報を前記表示順指定手段によって指定された表示順に並び替えて表示させ、前記復帰手段によって優先表示の復帰が指示された際に、前記優先表示条件に合致する表示情報を優先表示させる、ようにしたことを特徴とする請求項６記載の発明であってもよい。
【００１２】
請求項１に従属する発明として、前記優先表示条件に合致する表示情報が優先表示されている状態において、この優先表示を一時的に解除する解除手段を更に備え、前記表示制御手段は、前記一時解除手段によって優先表示が解除された際に、前記複数の表示情報を前記表示順指定手段によって指定された表示順に並び替えて表示させたのち、所定時間が経過した際に前記優先表示条件に合致する表示情報を優先表示させる、ようにしたことを特徴とする請求項７記載の発明であってもよい。
【００１３】
請求項１に従属する発明として、前記優先条件指定手段は、前記優先表示条件に合致する表示情報が複数存在している場合に、この複数の表示情報の優先順位を更に指定し、前記表示制御手段は、前記優先条件指定手段によって指定された優先表示条件に合致する表示情報が複数存在している場合に、この複数の表示情報の優先順位が前記優先条件指定手段によって指定されていれば、この優先順位に基づいて複数の表示情報を並び替えて優先表示させる、ようにしたことを特徴とする請求項８記載の発明であってもよい。
【００１４】
請求項１あるいは請求項８に従属する発明として、前記優先条件指定手段は、複数の優先表示条件を指定すると共に、この複数の優先表示条件の優先順位を更に指定し、前記表示制御手段は、前記優先条件指定手段によって指定された複数の優先表示条件のいずれかに合致する表示情報が複数存在している場合に、この複数の優先表示条件の優先順位が前記優先条件指定手段によって指定されていれば、この優先順位に基づいて複数の表示情報を並び替えて優先表示させる、ようにしたことを特徴とする請求項９記載の発明であってもよい。
【００１５】
また、上述した課題を解決するために請求項１０記載の発明は、コンピュータに対して、記録されている複数の表示情報を一覧表示させる場合の表示順を指定する機能と、優先的に表示させる条件を示す優先表示条件を指定する機能と、前記複数の表示情報の中に前記優先条件指定機能によって指定された優先表示条件に合致する表示情報が存在しているか否かを判別する機能と、前記優先表示条件に合致する表示情報が存在していると判別された場合に、前記指定された表示順に関わらず、前記優先表示条件に合致する表示情報が前記一覧表示の上位に位置するように当該表示情報を優先表示機能と、を実現させるためのプログラムを特徴とする。
【発明の効果】
【００１６】
本発明によれば、複数の表示情報を一覧表示する場合に、優先表示条件に合致する表示情報を優先表示させ、その他の表示情報を予め指定されている表示順に基づいて表示することができ、利便性を高めることが可能となる。
【図面の簡単な説明】
【００１７】
【図１】電子機器として適用した携帯電話機の基本的な構成要素を示したブロック図。
【図２】記憶部３内のメール優先条件テーブルＭ１、録画優先条件テーブルＭ２、優先表示解除フラグＣＦを説明するための図で、（１）は、メール優先条件テーブルＭ１、（２）は、録画優先条件テーブルＭ２、（３）は、優先表示解除フラグＣＦを示した図。
【図３】受信メール管理メモリＭ３、録画番組管理メモリＭ４を説明するための図で、（１）は、受信メール管理メモリＭ３、（２）は、録画番組管理メモリＭ４を示した図。
【図４】（１）〜（４）は、受信メールの一覧画面を例示した図で、（１）は、受信日時順で優先表示ありの場合、（２）は、受信日時順で優先表示なしの場合、（３）は、題名順で優先表示ありの場合、（４）は、題名順で優先表示なしの場合、（５）は、この一覧画面に関するメニュー画面を示した図。
【図５】（１）〜（４）は、録画番組の一覧画面を例示した図で、（１）は、録画日時順で優先表示ありの場合、（２）は、録画日時順で優先表示なしの場合、（３）は、題名順で優先表示ありの場合、（４）は、題名順で優先表示なしの場合、（５）は、この一覧画面の内容に関するメニュー画面を示した図。
【図６】電源投入に応じて実行開始される携帯電話機の全体動作を示したフローチャート。
【図７】図６の動作に続くフローチャート。
【図８】図７の動作に続くフローチャート。
【図９】図６の動作に続くフローチャート。
【図１０】図９の動作に続くフローチャート。
【発明を実施するための形態】
【００１８】
以下、図１〜図１０を参照して本発明の実施形態を説明する。
本実施形態は、電子機器として携帯電話機に適用した場合を例示したもので、図１は、この携帯電話機の基本的な構成要素を示したブロック図である。
携帯電話機は、例えば、２つの筐体を折り畳み自在に取り付けた折り畳みタイプで、この携帯電話機には、通話機能、電子メール機能、インターネット接続機能（Ｗｅｂアクセス機能）のほか、デジタルテレビ放送（例えば、ワンセグ地上波デジタルテレビ放送）を受信可能なテレビ放送受信機能と、このテレビ放送受信機能で受信したテレビ放送を記録（録画）する録画機能などが備えられている。携帯電話機は、図示しない無線通信網を介して他の携帯電話機（図示省略）との間で通話可能な状態や電子メールの送受信可能な状態となり、また、携帯電話機は、図示しないインターネットに接続されると、Ｗｅｂサイトの閲覧可能な状態や電子メールの送受信可能な状態となり、また、デジタル放送を受信すると、テレビ放送の視聴可能な状態となる。
【００１９】
制御部１は、二次電池を備えた電源部２からの電力供給によって動作し、記憶部３内の各種のプログラムに応じてこの携帯電話機の全体動作を制御するもので、この制御部１には図示しないＣＰＵ（中央演算処理装置）やメモリなどが設けられている。記憶部３は、ＲＯＭ、ＲＡＭなどの内部メモリで、図示しないプログラム領域とデータ領域とを有し、このプログラム領域には、後述する図６〜図１０に示す動作手順に応じて本実施形態を実現するためのプログラムが格納されている。また、記憶部３のデータ領域には、タイマ情報、フラグ情報（例えば、後述する優先表示解除フラグＣＦ）など、この携帯電話機の動作に必要な各種の情報を一時記憶するほか、後述するメール優先条件テーブルＭ１、録画優先条件テーブルＭ２、受信メール管理メモリＭ３、録画番組管理メモリＭ４、一覧表示メモリＭ５などが設けられている。なお、記憶部３としては、例えば、ＳＤカード、ＩＣカードなど、着脱自在な可搬型メモリ（記録メディア）を含む構成、あるいは図示しない所定の外部サーバ上にあってもよい。
【００２０】
操作部４は、ダイヤル入力、文字入力、コマンド入力などを行うもので、受信メールを開くメールキーや録画番組の再生指示する再生キーなどを有し、制御部１は、操作部４からの操作信号に応じた処理として、例えば、発信処理、電子メール受信処理、テレビ録画処理など、各種の処理を行う。通信部５は、図示しない無線部、ベースバンド部、多重分離部などを備え、例えば、通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調したのち、電話部６を介して通話用スピーカＳＰから音声出力させ、また、通話用マイクＭＣからの入力音声データを電話部６から取り込み、送信ベースバンド信号に符号化したのち、ベースバンド部の送信側に与えてアンテナＡＴ１から発信出力させる。
【００２１】
表示部７は、例えば、高精細液晶、有機ＥＬなどを使用し、アイコン、文字データ、テレビ映像、待受画像などを表示するもので、制御部１は、複数の表示情報（本実施形態では電子メールあるいは録画番組の情報）を表示部７に一覧表示させる場合に、予め任意に設定されている優先表示条件に合致する表示情報を優先表示させ、その他の表示情報を予め指定されている表示順に基づいて表示させるようにしている。すなわち、制御部１は、表示対象である複数の表示情報を一覧表示させる場合には、予め指定されている表示順（例えば、日時順、題名順など）にしたがった並び順に各表示情報を一覧表示させるが、優先的に表示させるための優先表示条件（例えば、題名のキーワードなど）が指定されている場合に複数の表示情報の中に優先表示条件に合致する表示情報が存在していれば、上述の表示順に関わらず、優先表示条件に合致する表示情報が一覧表示の上位に位置するように当該表示情報を優先表示させるようにしている。
【００２２】
テレビ放送受信部８は、通信端末装置向けのワンセグ地上波デジタルテレビ放送のほか、電子番組表（ＥＰＧ）などの番組情報も含めて受信可能なもので、アンテナＡＴ２からの放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。なお、テレビ映像は、表示部７に表示され、テレビ音声は、スピーカ（図示省略）から出力される。
【００２３】
図２は、記憶部３のデータ領域に設けられているメール優先条件テーブルＭ１、録画優先条件テーブルＭ２、優先表示解除フラグＣＦを説明するための図で、図２（１）は、メール優先条件テーブルＭ１、図２（２）は、録画優先条件テーブルＭ２、図２（３）は、優先表示解除フラグＣＦを示している。
メール優先条件テーブルＭ１は、一覧表示の対象となる複数の表示情報が電子メール（受信メール）の場合に、この複数の受信メールの中から所定の受信メールを優先的に表示させるための優先表示条件を記憶するテーブルであり、図２（１）に示すように「優先項目」、「内容」を有している。
【００２４】
「優先項目」は、優先表示条件の種類を示すもので、複数種の優先表示条件として、図示の例では“ユーザ指定”、“メールアドレス”、“題名キーワード”、“本文キーワード”がその順序で記憶されている。“ユーザ指定”は、ユーザ操作によって任意に指定された受信メール（後述する「指定フラグ」が“１”の受信メール）を優先表示させることを示す優先表示条件である。“メールアドレス”は、受信メールの発信元（相手先）のメールアドレスが特定のメールアドレスの場合にその受信メールを優先表示させることを示す優先表示条件である。“題名キーワード”は、受信メールのタイトル（件名）に含まれているキーワードが特定のキーワード（例えば、報告書、緊急など）の場合にその受信メールを優先表示させることを示す優先表示条件である。“本文キーワード”は、受信メールの本文中に含まれているキーワードが特定のキーワード（例えば、連絡ください、など）の場合にその受信メールを優先表示させることを示す優先表示条件である。
【００２５】
図２（１）において、図中、縦方向の矢印は、項目単位の優先順位を示し、優先順位の高い順に（図中、上から下に向かって）、“ユーザ指定”、“メールアドレス”、“題名キーワード”、“本文キーワード”の順となっている。この項目単位の優先順位は、ユーザ操作によって任意に設定可能なもので、図中、上から下に向かう方向を昇順とすると、この昇順を下から上に向かう降順に変更したり、この降順から昇順に変更したりすることが可能となっている。なお、図示のように優先順位が昇順の場合に“ユーザ指定”が最優先されることを示している。
【００２６】
「内容」は、優先表示条件の具体的な内容を示し、各「優先項目」に対応して複数の優先表示条件をユーザ操作によって任意に設定可能となっている。図示の例では、「優先項目」が“ユーザ指定”に対応する「内容」は、ユーザ操作によって任意に指定された受信メールが後述の“指定フラグ”で特定可能なために空欄となっているが、「優先項目」が“メールアドレス”に対応する「内容」には、“aaa@cccc.ne.jp、ggg hhh.ne.jp”が記憶され、“題名キーワード”に対応する「内容」には、“ＸＸＸ、ＡＡＡ”が記憶され、“本文キーワード”に対応する「内容」には、“ＣＣＣ、ＤＤＤ”が記憶されている。
【００２７】
また、図２（１）において、図中、横方向の矢印は、項目内の優先順位を示し、優先順位の高い順に（図中、左から右に向かって）、例えば、メールアドレスの場合には“aaa@cccc.ne.jp”、ggg hhh.ne.jp”の順となり、題名キーワードの場合には“ＡＡＡ”、“ＢＢＢ”の順となり、本文キーワードの場合には“ＣＣＣ”、“ＤＤＤ”
の順となっている。この項目内の優先順位は、ユーザ操作によって任意に設定可能なもので、図中、左から右に向かう方向を昇順とすると、この昇順を右から左に向かう降順に変更したり、この降順から昇順に変更したりすることが可能となっている。
【００２８】
図２（２）において、録画優先条件テーブルＭ２は、一覧表示の対象となる複数の表示情報が録画番組の場合に、この複数の録画番組の中から所定の番組を優先的に表示させるための優先表示条件を記憶するテーブルであり、上述のメール優先条件テーブルＭ１と同様に「優先項目」、「内容」を有している。なお、図示の例において「優先項目」には“題名キーワード”、“内容キーワード”が記憶され、図中、縦方向の矢印は、項目単位の優先順位を示している。
【００２９】
また、「優先項目」が“題名キーワード”に対応する「内容」には、例えば、ユーザが好きなスポーツ番組の決勝戦などのキーワード“ＳＳＳ、ＴＴＴ”が記憶され、“内容キーワード”に対応する「内容」には、ユーザが好きな歌手名などのキーワード“ＵＵＵ、ＶＶＶ”がユーザ操作によって任意に記憶されている。なお、上述のメール優先条件テーブルＭ１と同様、図中、縦方向の矢印は、項目単位の優先順位を示し、横方向の矢印は、項目内の優先順位を示している。なお、図示の例では、「優先項目」には“題名キーワード”、“内容キーワード”を示したが、そのほかに、“ユーザ指定”を含むようにしてもよい。
【００３０】
図２（３）において、優先表示解除フラグＣＦは、上述した優先表示条件に合致する表示情報（後述する優先フラグが“１”の受信メールあるいは録画番組の情報）を一覧表示内で優先表示させることを解除するか否かを示すフラグである。ここで、優先表示解除フラグＣＦが“０”の場合は、優先表示条件に合致する表示情報を優先表示させる状態であることを示し、優先表示解除フラグＣＦが“１”の場合は、優先表示条件に合致する表示情報を優先表示させない状態であることを示している。この優先表示解除フラグＣＦの“０”／“１”は、ユーザ操作によって任意に切り替え可能となっている。
【００３１】
図３は、受信メール管理メモリＭ３、録画番組管理メモリＭ４を説明するための図で、図３（１）は、受信メール管理メモリＭ３、図３（２）は、録画番組管理メモリＭ４を示している。
受信メール管理メモリＭ３は、複数の表示情報（受信メール）をその受信日時順（降順）に記憶するもので、「題名」、「本文」、「受信日時」、「優先フラグ」、「指定フラグ」、「閲覧カウンタ」を有している。なお、受信メールに添付ファイルが存在している場合には、この添付ファイルの保存先を指定する情報として「ファイルＩＤ」を追加するようにしてもよい。なお、「題名」、「本文」、「受信日時」は、受信メールの題名（タイトル）、本文、受信日時を示している。
【００３２】
「優先フラグ」は、複数の受信メールを一覧表示させる際に、メール優先条件テーブルＭ１に記憶されている優先表示条件に合致する受信メールを優先表示させることを示すフラグで、その値が“１”のときには優先表示させる受信メールであることを示している。なお、図示の例では、３番目、７番目、８番目の受信メールに対応付けてその「優先フラグ」が“１”となっている場合であり、３番目の受信メールは、優先表示条件の“本文キーワード”に合致した場合を示し、７番目及び８番目の受信メールは、優先表示条件の“題名キーワード”に合致した場合を示している。
【００３３】
「指定フラグ」は、ユーザ操作によって任意に指定された受信メールであることを示し、上述した優先表示条件が“ユーザ指定”に合致する受信メールとして、この「指定フラグ」が“１”の受信メールが優先表示されるようになる。「閲覧カウンタ」は、受信メールを閲覧するためにそれを開く操作が行われる毎にその操作回数を計数した値であり、「閲覧カウンタ」の値が所定値（１０回）以上に達した際に、当該受信メールの優先表示を解除するようにしている。
【００３４】
図４（１）〜（４）は、受信メールの一覧画面を例示した図である。図４（５）は、この一覧画面に関するメニュー画面を示した図で、メニュー項目として“返信”、“表示順変更”、“優先表示解除”、“優先表示指定”、“優先条件設定”などが表示される。
この受信メールの一覧画面は、複数の表示情報（受信メール）の「題名」を縦方向に整列配置して一覧表示するもので、制御部１は、予め指定されている表示順に基づいて「題名」あるいは「受信日時」をキーとして、複数の受信メールを昇順あるいは降順に並べ替えて一覧表示させるが、上述したメール優先条件テーブルＭ１の内容に合致する受信メールについては、この表示順に関わらず、一覧画面の上位に位置するように優先表示されるようにしている。なお、図中、一覧画面内の黒丸は、優先表示条件に合致する受信メールであることを示している（以下、同様）。また、上述のような表示情報（受信メール）の並び替えは、一覧表示メモリＭ５内において行われ、この一覧表示メモリＭ５内の並びどおりに一覧画面に受信メールが表示される。
【００３５】
図４（１）は、予め指定されている表示順が“受信日時順”で、優先表示解除フラグＣＦが“０”（優先表示があり）の場合の一覧画面を示している。この場合、上述したように、受信メール管理メモリＭ３において、その３番目の受信メールが優先表示条件の“本文キーワード（ＣＣＣ）”に合致し、７番目の受信メールが“ユーザ指定（指定フラグ＝１）”に合致し、８番目の受信メールが優先表示条件の“題名キーワード（ＡＡＡ）”に合致しているので、これらの受信メール（優先フラグ＝１の受信メール）は一覧表示の上位に並べられるが、その他の各受信メール（優先フラグ＝０の受信メール）は、受信日時順に並べられる。ここで、項目単位の優先順位は、“ユーザ指定”、“題名キーワード”、“本文キーワード”の順に設定されているので、この優先表示条件に応じて一覧表示の並び順は、７番目、８番目、３番目となる。また、表示順として“受信日時順”が指定されているので、受信メール管理メモリＭ３内の１番目、２番目、４番目、５番目、…の各受信メールは、上述した優先表示の７番目、８番目、３番目の後に続いて配置表示される。
【００３６】
図４（２）は、予め指定されている表示順が“受信日時順”で、優先表示解除フラグＣＦが“１”（優先表示なし）の場合の一覧画面を示している。すなわち、図４（１）に示す状態において、図４（５）に示すメニュー画面内から“優先表示解除”がユーザ操作によって選択されて優先表示解除フラグＣＦが“０”から“１”に変更された場合の一覧画面を示している、この場合、優先フラグに関わらず、３番目、７番目、８番目の受信メールも含めて、全ての受信メールが受信日時順に並べ替えられる。このため、受信メール管理メモリＭ３内での並び順どおりに各受信メールが一覧画面に表示される。
【００３７】
図４（３）は、予め指定されている表示順が“題名順（あいうえお順やアルファベット順）”で、優先表示解除フラグＣＦが“０”（優先表示があり）の場合の一覧画面を示している。すなわち、図４（１）に示す状態において、図４（５）に示すメニュー画面内から“表示順変更”のメニューを選択して、表示順を“受信日時順”から“題名順”に変更した場合の一覧画面を示している。このように表示順を変更しても一覧表示の上位は、図４（１）の一覧画面と同様に、７番目、８番目、３番目の受信メール（優先フラグ＝１の受信メール）はその順序に並べられるが、その他の各受信メール（優先フラグ＝０の受信メール）は題名順に並べられる。この場合、表示順が“題名順”であるから、受信メール管理メモリＭ３内の２番目、６番目、１番目、…の受信メールは、優先表示の７番目、８番目、３番目の後に続いて順次配置表示される。
【００３８】
図４（４）は、表示順が“題名順”で、“優先表示なし”の場合の一覧画面を示している。すなわち、図４（５）に示すメニュー画面内から“優先表示解除”がユーザ操作によって選択されて優先表示解除フラグＣＦが“０”から“１”に変更された場合における一覧画面を示している。この場合、７番目、８番目、３番目の受信メールも含めて、全ての受信メールは題名順に並べ替えられる。
【００３９】
図３（２）に示すように、録画番組管理メモリＭ４は、所望するテレビ放送番組を録画した録画番組をその録画日時順（降順）に記憶するもので、「題名」、「内容」、「録画日時」、「優先フラグ」、「閲覧カウンタ」を有している。なお、録画番組毎にその録画ファイルの保存先を指定する情報として「ファイルＩＤ」を追加するようにしてもよい。「題名」、「内容」、「録画日時」は、録画番組の題名（タイトル）、内容（出演者、ジャンルなどの番組情報）、録画日時を示している。「優先フラグ」、「閲覧カウンタ」は、上述した受信メール管理メモリＭ３と基本的に同様であり、「優先フラグ」は、録画番組を一覧表示させる際に、録画優先条件テーブルＭ２に記憶されている優先表示条件に合致する録画番組を優先表示させることを示すフラグである。
【００４０】
図示の例は、３番目、７番目、８番目の録画番組に対応付けてその「優先フラグ」が“１”となっている場合を示したもので、３番目、７番目の録画番組は、優先表示条件の“内容キーワード”に合致した場合、８番目の録画番組は、優先表示条件の“題名キーワード”に合致した場合を示している。「閲覧カウンタ」は、録画番組を視聴するためにそれを開く操作（再生操作）が行われる毎にその操作回数を計数した値であり、「閲覧カウンタ」の値が所定値（５回）以上であれば、一覧表示時においてその受信メールの優先表示を解除するようにしている。
【００４１】
図５（１）〜（４）は、録画番組の一覧画面を例示した図である。図５（５）は、この一覧画面に関するメニュー画面を示した図で、メニュー項目として“表示順変更”、“優先条件設定”などを有している。
この録画番組の一覧画面は、複数の表示情報（録画番組）の「題名」を縦方向に整列配置して一覧表示するもので、制御部１は、予め指定されている表示順に基づいて「題名」あるいは「録画日時」をキーとして、複数の録画番組を昇順あるいは降順に並べ替えて一覧表示させるが、上述した録画優先条件テーブルＭ２の内容に合致する録画番組については、この表示順に関わらず、一覧画面の上位に位置するように優先表示されるようにしている。なお、図中、一覧画面内の黒丸は、優先表示条件に合致する録画番組であることを示している（以下、同様）。また、上述のような表示情報（録画番組）の並び替えは、一覧表示メモリＭ５内において行われ、この一覧表示メモリＭ５の内容が一覧画面にそのまま表示される。
【００４２】
図５（１）は、予め指定されている表示順が“録画日時順”で、優先表示解除フラグＣＦが“０”（優先表示があり）の場合の一覧画面を示している。この場合、上述したように、録画番組管理メモリＭ４において、３番目、７番目の録画番組が優先表示条件の“内容キーワード”に合致し、８番目の録画番組が優先表示条件の“題名キーワード”に合致しているので、これらの録画番組（優先フラグ＝１の録画番組）は一覧表示の上位に並べられ、その他の各録画番組（優先フラグ＝０の各録画番組）は受信日時順に並べられる。ここで、項目単位の優先順位は、“題名キーワード”、“内容キーワード”の順に設定され、また、“内容キーワード”の項目内の優先順位は、“ＵＵＵ”、“ＶＶＶ”の順に設定されているので、この優先表示条件に応じて一覧表示の並び順は、８番目、７番目、３番目となる。
【００４３】
図５（２）は、予め指定されている表示順が“録画日時順”で、優先表示解除フラグＣＦが“１”（優先表示なし）の場合の一覧画面を示している。すなわち、図５（１）に示す状態において、図５（５）に示すメニュー画面の中から「優先表示解除」がユーザ操作によって選択されて優先表示解除フラグＣＦが“０”から“１”に変更された場合における一覧画面を示している。この場合、優先フラグに関わらず、３番目、７番目、８番目の録画番組も含めて、全ての録画番組が録画日時順に並べ替えられる。
【００４４】
図５（３）は、予め指定されている表示順が“題名順”で、優先表示解除フラグＣＦが“０”（優先表示があり）の場合の一覧画面を示している。すなわち、図５（１）に示す状態において、図５（５）に示すメニュー画面の中から「表示順変更」のメニューを選択して、表示順を“録画日時順”から“題名順”に変更した場合の一覧画面を示している。このように表示順を変更しても一覧表示の上位は、図５（１）の一覧画面と同様に、８番目、７番目、３番目の録画番組（優先フラグ＝１の録画番組）はその順序に並べられるが、その他の各録画番組（優先フラグ＝０の録画番組）は題名順に並べられる。
【００４５】
図５（４）は、表示順が“題名順”で、“優先表示なし”の場合の一覧画面を示している。すなわち、図５（５）に示すメニュー画面の中から「優先表示解除」がユーザ操作によって選択されて優先表示解除フラグＣＦが“０”から“１”に変更された場合における一覧画面を示している、この場合、３番目、７番目、８番目の録画番組も含めて、全ての録画番組は題名順に並べ替えられる。
【００４６】
次に、この実施形態における携帯電話機の動作概念を図６〜図１０に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００４７】
図６〜図１０は、電源投入に応じて実行開始される携帯電話機の全体動作を示したフローチャートである。
先ず、制御部１は、電源オン操作が行われると、所定のメモリをクリアするなどの初期処理を行ったのち（図６のステップＳ１）、着信などの待ち受け状態となる（ステップＳ２）。そして、この待ち受け状態において、通信部５から電話の着信有無をチェックしたり（ステップＳ３）、電子メールの受信有無をチェックしたり（ステップＳ８）、図７〜図１０のフローで何らかの操作有無をチェックしたりする。いま、電話着信を検出したときには（ステップＳ３でＹＥＳ）、回線接続させるオフフック操作に応答して（ステップＳ４でＹＥＳ）、通話可能状態とする通話処理を開始する（ステップＳ５）。また、その後のオンフック操作に応答して（ステップＳ６でＹＥＳ）、回線切断処理を実行したのち（ステップＳ７）、上述のステップＳ３に戻る。
【００４８】
待ち受け状態において、メールを受信したときには（ステップＳ８でＹＥＳ）、このメールを受信メール管理メモリＭ３の先頭位置に挿入記憶（新規登録）したり、添付ファイルを別途記憶したりするなどのメール受信処理を行う（ステップＳ９）。この場合、受信メールから「題名」、「本文」を抽出し、これに現在日時を「受信日時」として受信メール管理メモリＭ３に新規登録するようにしている。そして、メール優先条件テーブルＭ１を参照し（ステップＳ１０）、この受信メールはその優先表示条件に合致するかを調べる（ステップＳ１１）。すなわち、この受信メールを解析しながらその発信元のメールアドレス、題名、本文が“メールアドレス”、“題名キーワード”、“本文キーワード”のいずれの優先表示条件に合致するかを調べる。いま、いずれの優先表示条件にも合致していなければ（ステップＳ１１でＮＯ）、受信メール管理メモリＭ３をアクセスし、この受信メールに対応する「優先フラグ」を“０”とすると共に（ステップＳ１８）、この受信メールを、予め指定されている表示順（例えば、受信日時順や題名順）に基づいて一覧表示メモリＭ５の該当位置に挿入記憶させたのち（ステップＳ１９）、上述のステップＳ３に戻る。
【００４９】
また、受信メールがメール優先条件テーブルＭ１内のいずれかの優先表示条件に合致していれば（ステップＳ１１でＹＥＳ）、この受信メールに対応する「優先フラグ」を“１”とすると共に（ステップＳ１２）、その「閲覧カウンタ」の値を初期値“０”とする（ステップＳ１３）。そして、優先表示解除フラグＣＦを参照し、その値が“０”、つまり、優先表示が指定されているか（優先フラグが“１”のメールを優先表示するか）を調べ（ステップＳ１４）、それが“１”で優先表示が解除されていれば（ステップＳ１４でＮＯ）、上述のステップＳ１９に移り、この受信メールを予め指定されている表示順に基づいて一覧表示メモリＭ５の該当位置に挿入記憶させる。
【００５０】
優先表示解除フラグＣＦが“０”で優先表示が指定されていれば（ステップＳ１４でＹＥＳ）、受信メール管理メモリＭ３を参照し、他に優先表示条件に合致するメール（優先フラグ＝“１”のメール）が存在しているかを調べる（ステップＳ１５）。いま、受信メール管理メモリＭ３内の「優先フラグ」が全て“０”で、他に優先表示条件に合致するメールが存在していなければ（ステップＳ１５でＮＯ）、上述の表示順の指定に関わらず、今回の受信メールを一覧表示メモリＭ５の先頭に挿入記憶させる（ステップＳ１７）。
【００５１】
また、他に優先表示条件に合致するメールが存在していれば（ステップＳ１５でＹＥＳ）、この受信メールを、優先フラグ＝“１”の各メール内で優先表示条件に基づいた位置に挿入記憶させる（ステップＳ１６）。すなわち、優先フラグ＝“１”の各メール（優先表示条件に合致する今回の受信メールと他のメール）を対象に、それらの優先表示条件を比較し、優先表示条件の優先順位（項目単位の優先順位）が相違していれば、その優先順位にしたがった並び順となるように、今回の受信メールの挿入位置を決定し、また、項目単位の優先順位が同一であれば、その項目内の優先順位にしたがった並び順となるように、今回の受信メールの挿入位置を決定して、一覧表示メモリＭ５内の当該位置に今回の受信メールを挿入記憶させる。その後、上述のステップＳ３に戻る。
【００５２】
以下、メールを受信する毎に上述の動作を繰り返す。ここで、電子メール機能の起動を指示する操作が行われると（図７のステップＳ２０でＹＥＳ）、メール一覧表示処理に移り、一覧表示メモリＭ５の内容に基づいて図４（１）〜（４）に示すようなメール一覧画面を生成表示させる（ステップＳ２１）。いま、メールの表示順の変更を指示するために、図４（５）に示すメニュー画面内の“表示順変更”を選択して、新たな表示順を指示する表示順変更指示操作が行われると（ステップＳ２２でＹＥＳ）、優先表示解除フラグＣＦが“０”であるかを調べる（ステップＳ２３）。
【００５３】
優先表示解除フラグＣＦが“１”であれば（ステップＳ２３でＮＯ）、一覧表示メモリＭ５の内容を新たに指定された表示順に並び替えたのち（ステップＳ２７）、メール一覧表示処理に戻る（ステップＳ２１）。このように優先表示解除フラグＣＦが“１”で優先表示が解除されている状態において表示順が変更されると、メール一覧画面の表示内容は、例えば、受信日時順から題名順への変更であれば、図４（２）から図４（４）に変更され、題名順から受信日時順への変更であれば、図４（４）から図４（２）に変更される。
【００５４】
優先表示解除フラグＣＦが“０”であれば（ステップＳ２３でＹＥＳ）、受信メール管理メモリＭ３を参照し、優先表示条件に合致するメール（優先フラグ＝“１”のメール）が存在しているかを調べ（ステップＳ２４）、存在していなければ、上述の場合と同様に、一覧表示メモリＭ５の内容を新たに指定された表示順に並び替えたのち（ステップＳ２７）、メール一覧表示処理に戻る（ステップＳ２１）。
【００５５】
また、優先表示条件に合致するメールが存在していれば（ステップＳ２４でＹＥＳ）、一覧表示メモリＭ５の内容のうち、優先表示条件に合致するメールを現在の順番（並び順）で固定すると共に（ステップＳ２５）、優先表示条件に合致しない他の各メール（優先フラグ＝“０”の各メール）を新たに指定された表示順に並び替えたのち（ステップＳ２６）メール一覧表示処理に戻る（ステップＳ２１）。このように優先表示解除フラグＣＦが“０”で優先表示が指定されている状態において表示順が変更されると、メール一覧画面の表示内容は、例えば、受信日時順から題名順への変更であれば、図４（１）から図４（３）に変更され、題名順から受信日時順への変更であれば、図４（３）から図４（１）に変更される。
【００５６】
メール一覧画面が表示されている状態において、その一覧画面の中から閲覧対象のメールを選択指定してそれを開く操作が行われると（ステップＳ２８でＹＥＳ）、メール閲覧処理に移り、選択指定されたメール（閲覧メール）の本文を表示させる（ステップＳ２９）。そして、受信メール管理メモリＭ３を参照し、この閲覧メール対応の「優先フラグ」は“１”であるかを調べ（ステップＳ３０）、優先フラグ＝“０”で閲覧メールが優先表示のメールでなければ（ステップＳ３０でＮＯ）、ステップＳ３６に移って、閲覧メールを閉じる操作が行われたかを調べるが、優先フラグ＝“１”で閲覧メールが優先表示のメールであれば（ステップＳ３０でＹＥＳ）、この閲覧メール対応の「閲覧カウンタ」の値に“１”を加算してその値を更新したのち（ステップＳ３１）、そのカウンタ値は所定値（１０）以上か、つまり、同一メールの閲覧回数が１０回以上になったかを調べる（ステップＳ３２）。なお、この所定値は“１０”に限らず、また、ユーザ操作によって任意に設定するようにしてもよい。
【００５７】
ここで、「閲覧カウンタ」の値が１０以上であれば（ステップＳ３２でＹＥＳ）、当該閲覧メール対応の「優先フラグ」を“０”する（ステップＳ３３）。そして、優先表示解除フラグＣＦが“０”であるかを調べ（ステップＳ３４）、“１”であれば、ステップＳ３６に移って、閲覧メールを閉じる操作が行われたかを調べるが、同一メールの閲覧回数が１０回以上に達した際に優先表示解除フラグＣＦが“０”で優先表示が指定されていれば（ステップＳ３４でＹＥＳ）、この閲覧メールの優先表示を解除するために、当該閲覧メールを予め指定されている表示順に基づいて一覧表示メモリＭ５の該当位置に挿入記憶させる（ステップＳ３５）。そして、閲覧メールを閉じる操作が行われたかを調べ（ステップＳ３６）、閉じる操作が行われると、メール一覧表示処理に戻る（ステップＳ２１）。
【００５８】
メール一覧画面が表示されている状態において、その一覧画面の中から返信対象のメールを選択指定すると共に、図４（５）に示すメニュー画面内の“返信”を選択する返信操作が行われると（ステップＳ３７でＹＥＳ）、この選択指定されたメールに対する返信メールを作成して返信するメール返信処理を行う（ステップＳ３８）。そして、受信メール管理メモリＭ３を参照し、この返信メール対応の「優先フラグ」が“０”であれば（ステップＳ３９でＮＯ）、メール一覧表示処理に戻るが（ステップＳ２１）、「優先フラグ」が“１”であれば（ステップＳ３９でＹＥＳ）、当該返信メール対応の「優先フラグ」を“０”とする（ステップＳ４０）。
【００５９】
そして、優先表示解除フラグＣＦが“０”であるかを調べ（ステップＳ４１）、“１”であれば、メール一覧表示処理に戻るが（ステップＳ２１）、優先表示解除フラグＣＦが“０”、つまり、優先表示が指定されていれば（ステップＳ４１でＹＥＳ）、この返信メールの優先表示を解除するために、返信メールを予め指定されている表示順に基づいて一覧表示メモリＭ５の該当位置に挿入記憶させたのち（ステップＳ４２）、メール一覧表示処理に戻る（ステップＳ２１）。
【００６０】
また、メールの優先表示の解除を指示するために、図４（５）に示すメニュー画面内の“優先表示解除”を選択する操作が行われると（図８のステップＳ４３でＹＥＳ）、「優先フラグ」の値に関わらず、一覧表示メモリＭ５内の全てのメールを予め指定されている表示順に並び替える（ステップＳ４４）。そして、優先表示解除フラグＣＦを“１”としたのち（ステップＳ４５）、メール一覧表示処理に戻る（図７のステップＳ２１）。このようにして優先表示解除したのち、優先表示の復帰を指示する操作が行われると（図８のステップＳ４６でＹＥＳ）、メール優先条件テーブルＭ１を参照し（ステップＳ４７）、優先フラグ＝“１”の各メールを優先表示条件で並べ替える（ステップＳ４８）。
【００６１】
すなわち、一覧表示メモリＭ５内において、優先フラグ＝“１”の各メール（優先表示条件に合致する今回の受信メールと他のメール）を対象に、それらの優先表示条件を比較し、優先表示条件の優先順位（項目単位の優先順位）が相違していれば、その優先順位にしたがった並び順となるように、今回の受信メールの挿入位置を決定し、また、項目単位の優先順位が同一であれば、その項目内の優先順位にしたがった並び順となるように、今回の受信メールの挿入位置を決定して、一覧表示メモリＭ５内の当該位置に今回の受信メールを挿入記憶させる。
【００６２】
そして、一覧表示メモリＭ５内において、優先フラグ＝“０”の各メールを、予め指定されている表示順に並び替えたのち（ステップＳ４９）、上述のように並び替えられた優先フラグ＝“１”の各メールを一覧表示メモリＭ５の先頭位置から順に挿入することで、優先フラグ＝“１”の各メールをその上位に位置させる（ステップＳ５０）。そして、優先表示解除フラグＣＦを“０”に復帰させたのち（ステップＳ５１）、メール一覧表示処理に戻る（図７のステップＳ２１）。
【００６３】
また、メール優先条件テーブルＭ１の内容によらず、メール一覧画面の中から所望するメールを優先表示対象として個別に指定するために、優先表示対象のメールを選択指定して、図４（５）に示すメニュー画面内の“優先表示指定”を選択する指定操作が行われると（図８のステップＳ５２でＹＥＳ）、指定されたメール対応の「優先フラグ」を“１”とするほか（ステップＳ５３）、この指定メール対応の「指定フラグ」を“１”とする（ステップＳ５４）。そして、図６のステップＳ１４に移り、優先表示解除フラグＣＦの値に応じて指定メールの挿入位置を決定して一覧表示メモリＭ５内の当該位置に挿入記憶させる（ステップＳ１４〜Ｓ１７、Ｓ１９）。
【００６４】
このように優先表示の対象を個別に指定したのちに、この指定メールの優先表示を解除するために、当該メールを選択指定して、図４（５）に示すメニュー画面内の“優先表示解除”を選択する指定操作が行われると（図８のステップＳ５５でＹＥＳ）、指定されたメール対応の「優先フラグ」を“０”とするほか（ステップＳ５６）、この指定メール対応の「指定フラグ」を“０”としたのち（ステップＳ５７）、この指定メールのメール一覧の表示順に基づいた挿入位置を決定して一覧表示メモリＭ５内の当該位置に挿入記憶させる（ステップＳ５８）。
【００６５】
その後、メール一覧表示処理に戻る（図７のステップＳ２１）。なお、メール終了を指示する操作が行われた場合には（図８のステップＳ５９でＹＥＳ）、メール機能を終了させたのち（ステップＳ６０）、図６のステップＳ３に戻るが、メールに関するその他の操作が行われたときには（ステップＳ５９でＮＯ）、その操作に対応する処理として、メール移動処理、メール削除処理などを行ったのち（ステップＳ６１）、メール一覧表示処理に戻る（図７のステップＳ２１）。
【００６６】
他方、テレビ受信機能の起動を指示する操作が行われたかを調べ（図９のステップＳ６２）、上述したメールに関するメール操作やテレビ起動操作以外の操作が行われた場合には（ステップＳ６２でＮＯ）、その操作に対応した処理として、例えば、発信処理、設定処理などを行う（ステップＳ７５）。この場合、図４（５）に示すメニュー画面内の“優先条件設定”を選択する指定操作が行われると、メール優先条件テーブルＭ１に対する設定として優先順位の設定や「内容」の設定が行われ、また、図５（５）に示すメニュー画面内の“優先条件設定”を選択する指定操作が行われると、録画優先条件テーブルＭ２に対する設定として優先順位の設定や「内容」の設定が行われる。
【００６７】
テレビ受信機能の起動を指示する操作が行われた場合には（図９のステップＳ６２でＹＥＳ）、受信したテレビ放送を出力するためにテレビ画面を表示させる（ステップＳ６３）。この状態においてテレビ放送の録画を指示する操作が行われると（ステップＳ６４でＹＥＳ）、選択されているチャンネルの放送番組を録画する録画処理を開始したのち（ステップＳ６５）、録画優先条件テーブルＭ２を参照し（ステップＳ６６）、録画中の番組は優先表示条件に合致するかを調べる（ステップＳ６７）。すなわち、録画中の番組情報を解析しながらその題名、内容が各優先表示条件のいずれかに合致するかを調べ、いずれの優先表示条件にも合致しなければ（ステップＳ６７でＮＯ）、録画番組管理メモリＭ４の当該番組に対応する「優先フラグ」を“０”とすると共に（ステップＳ７３）、この録画番組を予め指定されている表示順に基づいて一覧表示メモリＭ５の該当位置に挿入記憶させたのち（ステップＳ７４）、上述のステップＳ６３に戻る。
【００６８】
また、録画番組が録画優先条件テーブルＭ２内のいずれかの優先表示条件に合致していれば（ステップＳ６７でＹＥＳ）、この録画番組に対応する「優先フラグ」を“１”とすると共に（ステップＳ６８）、その「閲覧カウンタ」の値を初期値“０”とする（ステップＳ６９）。そして、録画番組管理メモリＭ４を参照し、他に優先表示条件に合致する録画番組（優先フラグ＝“１”の録画番組）が存在しているかを調べる（ステップＳ７０）。いま、録画番組管理メモリＭ４内の「優先フラグ」が全て“０”で、他に優先表示条件に合致する録画番組が存在していなければ（ステップＳ７０でＮＯ）、予め指定されている表示順に関わらず、今回の録画番組を一覧表示メモリＭ５の先頭に挿入記憶させる（ステップＳ７２）。
【００６９】
また、他に優先表示条件に合致する録画番組が存在していれば（ステップＳ７０でＹＥＳ）、今回の録画番組を、優先フラグ＝“１”の録画番組内で優先表示条件に基づいた位置に挿入記憶させる（ステップＳ７１）。すなわち、優先フラグ＝“１”の各録画番組（優先表示条件に合致する今回の録画番組と他の録画番組）を対象に、その優先表示条件を比較し、優先表示条件の優先順位（項目単位の優先順位）が相違していれば、その優先順位にしたがった並び順となるように、今回の録画番組の挿入位置を決定し、また、項目単位の優先順位が同一であれば、その項目内の優先順位にしたがった並び順となるように、今回の録画番組の挿入位置を決定し、一覧表示メモリＭ５内の当該位置に今回の録画番組を挿入記憶させる。その後、上述のステップＳ６３に戻る。
【００７０】
テレビ放送の受信中において録画番組の一覧表示を起動させる指示操作が行われたかを調べ（図１０のステップＳ７６）、その他のテレビに関する操作が行われた場合には（ステップＳ７６でＮＯ）、その操作に対応する処理として、チャンネル切替処理、音量調整処理などを行ったのち（ステップＳ９１）、図９のステップＳ６３に戻るが、録画番組の一覧表示を起動させる指示操作が行われた場合には（ステップＳ７６でＹＥＳ）、一覧表示メモリＭ５の内容に基づいて図５（１）〜（４）に示すような録画番組一覧画面を生成表示させる（ステップＳ７７）。
【００７１】
このように録画番組一覧画面が表示されている状態において、その一覧画面の中から再生対象の録画番組を選択指定してそれを開く操作（再生指示操作）が行われると（ステップＳ７８でＹＥＳ）、録画番組再生処理を開始させ、テレビ画面に代わって再生画面を表示させる（ステップＳ７９）この状態において、録画番組の再生終了を検出したり（ステップＳ８０でＹＥＳ）、録画番組の再生停止操作を検出したりすると（ステップＳ８１でＹＥＳ）、録画番組管理メモリＭ４を参照し、今回再生した録画番組（再生録画番組）対応の「優先フラグ」は“１”であるかを調べる（ステップＳ８２）。
【００７２】
いま、優先フラグ＝“０”、つまり、再生録画番組が優先表示の番組でなければ（ステップＳ８２でＮＯ）、録画番組一覧画面に戻るが（ステップＳ７７）、優先フラグ＝“１”、つまり、再生録画番組が優先表示の番組であれば（ステップＳ８２でＹＥＳ）、この再生録画番組対応の「閲覧カウンタ」の値に“１”を加算してその値を更新したのち（ステップＳ８３）、そのカウンタ値は所定値（５）以上か、つまり、録画番組の再生回数が５回以上になったかを調べる（ステップＳ８４）。なお、この所定値は“５”に限らず、また、ユーザ操作によって任意に設定するようにしてもよい。
【００７３】
ここで、「閲覧カウンタ」の値が５未満であれば（ステップＳ８４でＮＯ）、録画番組一覧画面に戻るが（ステップＳ７７）、５以上であれば（ステップＳ８４でＹＥＳ）、当該再生録画番組対応の「優先フラグ」を“０”する（ステップＳ８５）。そして、優先表示解除フラグＣＦが“０”であるかを調べ（ステップＳ８６）、“１”であれば、録画番組一覧画面に戻るが（ステップＳ７７）、同一録画番組の再生回数が５回以上に達した際に優先表示解除フラグＣＦが“０”で優先表示が指定されていれば（ステップＳ８６でＹＥＳ）、この再生録画番組の優先表示を解除するために、当該再生録画番組を予め指定されている表示順に基づいて一覧表示メモリＭ５の該当位置に挿入記憶させる（ステップＳ８７）。そして、録画番組一覧画面に戻る（ステップＳ７７）。
【００７４】
また、録画番組の一覧表示の終了を指示する操作が行われた場合には（ステップＳ８８でＹＥＳ）、録画番組の一覧画面を消去する録画番組一覧終了処理を行ったのち（ステップＳ８９）、図９のステップＳ６３に戻る。また、その他の操作が行われた場合には（ステップＳ８８でＮＯ）、その操作に対応した処理として、上述したメールに関する処理と同様に、例えば、表示順変更操作に応じて録画番組の一覧画面の内容を変更する処理（図７のステップＳ２２〜Ｓ２６に相当する処理）、優先表示解除操作に応じて録画番組の一覧画面の内容を変更する処理（図８のステップＳ４３〜Ｓ４５に相当する処理）、優先表示復帰操作に応じて録画番組の一覧画面の内容を変更する処理（図８のステップＳ４６〜Ｓ５１に相当する処理）などを行ったのち（ステップＳ９０）、図９のステップＳ６３に戻る。
【００７５】
以上のように、本実施形態において制御部１は、複数の表示情報の中に優先表示条件に合致する表示情報が存在していれば、指定されている表示順に関わらず、優先表示条件に合致する表示情報が一覧表示の上位に位置するように当該表示情報を優先表示させるようにしたので、優先して表示させたい表示情報を常に優先して表示させることができ、利便性を高めることが可能となる。
【００７６】
複数の表示情報が一覧表示されている状態において、表示順の変更が指定された場合に、優先表示条件に合致する表示情報をそのまま優先表示させ、それ以外の表示情報を変更された表示順に並び替えて表示させるようにしたので、好みや必要があって表示順を替えても優先して表示させたい表示情報を常に優先して表示させることができる。
【００７７】
優先表示条件に合致する表示情報に対して所定の操作が行われた場合に、当該表示情報の優先表示を解除するようにしたので、優先表示条件を変更することなく優先表示する表示情報の指定を解除することができる。
【００７８】
複数の表示情報としての複数のメールが一覧表示されている状態において、優先表示条件に合致するメールに対して所定の操作として返信の操作が行われた場合に、そのメールの優先表示を解除するようにしたので、返信を行ったことで、優先表示する必要がなくなったとみなして、特別な操作を行うことなく、優先表示するメールの指定を解除することができる。
【００７９】
優先表示する表示情報に対する所定の操作として当該表示情報を開く操作が所定の回数に達した場合に、当該表示情報の優先表示を解除するようにしたので、何回も開く操作が行われたことで、優先表示する必要がなくなったとみなして、特別な操作を行うことなく、優先表示する表示情報の特定を解除できる
【００８０】
優先表示が解除された際には、複数の表示情報を指定されている表示順に並び替えて表示させ、優先表示の復帰が指示された際には、優先表示条件に合致する表示情報をそのまま優先表示させるようにしたので、表示順に並び替えられた一覧表示を必要に応じて確認したのち、何時でも自由に元の一覧表示に戻すことができる。
【００８１】
優先表示条件に合致する表示情報が複数存在している場合に、この複数の表示情報の優先順位（項目内の優先順位）が指定されていれば、この優先順位に基づいて複数の表示情報を並び替えて優先表示させるようにしたので、同じ優先表示条件に合致する表示情報同士であっても、その並び順を指定することができ、木目細かな優先表示が可能となる。
【００８２】
複数の優先表示条件のいずれかに合致する表示情報が複数存在している場合に、この優先表示条件の優先順位（項目単位の優先順位）が指定されていれば、この優先順位に基づいて複数の表示情報を並び替えて優先表示させるようにしたので、異なる優先表示条件に合致する表示情報の並び順を指定することができ、木目細かな優先表示が可能となる。また、項目単位の優先順位と項目内の優先順位の両方を指定するようにしたので、更に木目細かな優先表示が可能となる。
【００８３】
なお、上述した本実施形態においては、優先表示が解除された際には、複数の表示情報を指定されている表示順に並び替えて表示させ、優先表示の復帰が指示された際には、優先表示条件に合致する表示情報をそのまま優先表示させるようにしたが、優先表示を一時的に解除する解除手段を設けてもよい。すなわち、前記優先表示条件に合致する表示情報が優先表示されている状態において、この優先表示を一時的に解除する解除手段を備え、優先表示が解除された際には、複数の表示情報を予め指定された表示順に並び替えて表示させたのち、所定時間（例えば、５秒間）が経過した際に優先表示に自動復帰させるようにしてもよい。これによって復帰操作が不要となるほか、復帰忘れを防ぐことができ、優先表示されている表示情報を確認することができる。
【００８４】
また、上述した本実施形態においては、受信メール管理メモリＭ３の内容とは別に添付ファイルを保存し、また、録画番組管理メモリＭ４の内容とは別に録画ファイルを保存するようにしたが、それらの記憶方法は任意である。すなわち、「優先フラグ」、「閲覧カウンタ」などをファイル名と共に録画ファイル自体に記憶するようにしてもよい。
【００８５】
また、上述した本実施形態においては、優先表示の解除は、ユーザ操作によって行うようにしたが、例えば、時間的に制限のある表示情報の場合には、その制限時間が経過した際に、自動的に優先表示を解除するようにしてもよい。また、自動解除の方法としては、制限時間の経過に限らず、例えば、会社から自宅のように現在の場所が変更された際であってもよい。
【００８６】
また、上述した本実施形態においては、一覧表示の対象となる表示情報として受信メールや録画番組の情報を例示したが、これに限らず、写真などの画像ファイル、音楽ファイルなどであってもよい。また、写真などの画像をサムネイル表示するようにしてもよく、また、画面の上から下への表示順に限らず、左から右への表示順あるいは画面の中心から渦巻き状に並ぶ表示順などであってもよい。この場合、優先表示の画像を画面の中心部に配置するようにすれば、好みの画像を画面の中心部で見ることができる。
その他、本発明の適用は、電子機器として携帯電話機に限らず、その他、パーソナルコンピュータ、ＰＤＡ、デジタルカメラ、音楽プレイヤー、ゲーム機器、あるいはそれらの複合機などであってもよい。
【符号の説明】
【００８７】
１  制御部
３  記憶部
４  操作部
５  通信部
７  表示部
８  テレビ放送受信部
ＣＦ  優先表示解除フラグ
Ｍ１  メール優先条件テーブル
Ｍ２  録画優先条件テーブル
Ｍ３  受信メール管理メモリ
Ｍ４  録画番組管理メモリ
Ｍ５  一覧表示メモリ
【図１】
2010186225.tif 000003
【図２】
2010186225.tif 000004
【図３】
2010186225.tif 000005
【図４】
2010186225.tif 000006
【図５】
2010186225.tif 000007
【図６】
2010186225.tif 000008
【図７】
2010186225.tif 000009
【図８】
2010186225.tif 000010
【図９】
2010186225.tif 000011
【図１０】
2010186225.tif 000012